(57)【特許請求の範囲】
【請求項１】
ティッシュボックスのペーパー取出口の周囲を囲うように長方形に形成された枠部材に、被装着部への取付手段であるベルト体が取り付けられ、該ベルト体は、該枠部材に取り付けられる側の端部を環状にして該枠部材に挿通させることで該枠部材の長方形全周を移動可能に取り付けられていることを特徴とする自動車用ティッシュボックス取付具。
【請求項２】
該枠部材には、該枠部材に取り付けられた該ベルト体が容易に左右方向にずれないように移動を制限する凸部、あるいは凹部の何れかを長方形に形成された枠部材の各々の辺の中央部に一体に形成して備え、該凸部は、該枠部材に取り付けられた該ベルト体の巾方向の両側を支えるように該枠部材に凸設され、該凹部は、該枠部材に取り付けられた該ベルト体の巾方向の全体が嵌り込むように該枠部材の一部を落とし込んで凹設されていることを特徴とする請求項１に記載の自動車用ティッシュボックス取付具。
【請求項３】
該枠部材のティッシュボックスのペーパー取出口の周囲と接する面には、ティッシュボックスの滑止手段を備え、該滑り止め手段は、複数の尖状突起を該枠部材に一体に備え、あるいは摩擦係数の高い軟質樹脂を貼り付けて備えたことを特徴とする請求項１、請求項２の何れかに記載の自動車用ティッシュボックス取付具。
【発明の詳細な説明】
【技術分野】
【０００１】
本発明は、自動車の室内にティッシュボックスを装着するための取付具である。
【背景技術】
【０００２】
従来、自動車の室内にティッシュボックスを装着するために種々提案がなされている。例えば、特開２００９−４６１９３号公報（特許文献１）に開示された「ティッシュボックスカバー」は、種々のサイズ（厚み）のティッシュボックスに関わらずカバーできるように構成されたもので、当該公報の図９に示されるように、ベルトを用いてヘッドレストのステーに吊り下げて装着する。
【先行技術文献】
【特許文献】
【０００３】
【特許文献１】特開２００９−４６１９３号公報
【発明の概要】
【発明が解決しようとする課題】
【０００４】
特許文献１はもとより多くの自動車用のティッシュボックスカバーは、材料として布や合成皮革などを適宜縫製して形成され、ベルトを用いてヘッドレストのステーなどに装着されるものである。
【０００５】
ところで昨今、乗車定員の多いワンボックスやミニバンが人気を博し街中で多く見かける。このような自動車にティッシュボックスを装着する場合は、運転者も容易に使用できるように運転席近傍にベルトを用いて装着されることが多い。この点、体裁がよいものであるとは言い難い。
【０００６】
また、このように装着された状態において、ファミリーなど多人数で乗車してドライブをすると、往々にして最後席の乗員からティッシュボックスのリクエストがあり、ベルトを外したりカバーから取り出したりして渡すといった手間があった。
【０００７】
さらに、単に種々のサイズ（厚み）のティッシュボックスに関わらずカバーできるようにするために、それなりの面積の布地や縫製が必要でコストアップの要因ともなっていた。
【０００８】
そこで本発明は、上記課題を解消しシンプルでデザイン性が高いこと、容易にティッシュボックスを着脱可能であること、種々のサイズ（厚み）のティッシュボックスに関わらず装着可能であること、低コストであることを実現した自動車用ティッシュボックス取付具を提供することを目的としている。
【課題を解決するための手段】
【０００９】
ティッシュボックスのペーパー取出口の周囲を囲うように長方形に形成された枠部材に、被装着部への取付手段であるベルト体が取り付けられ、該ベルト体は、該枠部材に取り付けられる側の端部を環状にして該枠部材に挿通させることで該枠部材の長方形全周を移動可能に取り付けられていることで解決される。
【００１０】
また、該枠部材には、該枠部材に取り付けられた該ベルト体が容易に左右方向にずれないように移動を制限する凸部、あるいは凹部の何れかを長方形に形成された枠部材の各々の辺の中央部に一体に形成して備え、該凸部は、該枠部材に取り付けられた該ベルト体の巾方向の両側を支えるように該枠部材に凸設され、該凹部は、該枠部材に取り付けられた該ベルト体の巾方向の全体が嵌り込むように該枠部材の一部を落とし込んで凹設されていることで解決される。
【００１１】
さらに、該枠部材のティッシュボックスのペーパー取出口の周囲と接する面には、ティッシュボックスの滑止手段を備え、該滑り止め手段は、複数の尖状突起を該枠部材に一体に備え、あるいは摩擦係数の高い軟質樹脂を貼り付けて備えたことで解決される。
【発明の効果】
【００１２】
長方形に形成された枠部材で、ティッシュボックスのペーパー取出口の周囲を囲い、該枠部材に取り付けられたベルト体を自動車室内の適宜場所に容易に取り付けることができる。また、ベルト体は、枠部材の全周を移動可能に取り付けられているので、自動車の車内の適宜場所に合わせて取り付けることができる。さらに、異なるサイズのティッシュボックスであっても何ら問題なく取り付けることができ、デザイン性の向上や低コストを実現した。
【００１３】
また、枠部材に取り付けられた該ベルト体が容易に左右方向にずれないように位置決めをすることができるので、確実にティッシュボックスを取り付けることができる。
【００１４】
さらに、枠部材のティッシュボックスのペーパー取出口の周囲と接する面には、複数の尖状突起を該枠部材に一体に備えるか、摩擦係数の高い軟質樹脂を貼り付けて備えたので、ティッシュボックスが滑って脱落することを防止し、確実に保持することができる。
【図面の簡単な説明】
【００１５】
【図１】自動車用ティッシュボックス取付具の斜視図である。
【図２】自動車用ティッシュボックス取付具の背面側斜視図である。
【図３】枠部材に形成された凹部を示す図である。
【図４】ヘッドレストのステーに取り付けた状態を示す図である。
【図５】サンバイザーに取り付けた状態を示す図である。
【発明を実施するための形態】
【実施例１】
【００１６】
本発明の第１実施例について、図面を参照して詳細に説明する。図１は本発明の自動車用ティッシュボックス取付具の斜視図、図２は、自動車用ティッシュボックス取付具の背面側斜視図、図４は、ヘッドレストのステーに取り付けた状態を示す図、図５はサンバイザーに取り付けた状態を示す図である。
【００１７】
図１に示されるように、自動車用ティッシュボックス取付具（１）は、ティッシュボックス（４）のペーパー取出口の周囲を囲う枠部材（２）に、該枠部材（２）には図３及び図４に示されるように、ヘッドレストのステー（７）やサンバイザー（６）などの被装着部への取付手段（３）を移動可能に備えて構成される。
【００１８】
該枠部材（２）は、ＡＢＳ、ポリカーボネイトなどの樹脂材から長方形に形成され、取付手段（３）と共同してティッシュボックス（４）を被装着部へ装着する。また、取付手段（３）は、該枠部材（２）に移動可能に備えているので、例えば短い辺に位置させれば図４に示されるようにヘッドレストのステー（７）に、また、長い辺に位置させれば図５に示されるようにサンバイザー（６）に、自動車用ティッシュボックス取付具（１）を装着することができ、その該枠部材（２）に対する取付手段（３）の位置を適宜移動することで、被装着部に適した装着方法を選択することができ、装着位置の多様性を実現した。さらに、取付手段（３）を適宜調整することによって、種々のサイズのティッシュボックス（４）を容易に装着することを実現した。
【実施例２】
【００１９】
本発明の第２実施例は、図２及び図３に示されるように、該枠部材（２）に該取付手段（３）の移動を制限する凸部（２ａ）、あるいは凹部（２ｂ）の何れかを備えるとともに、ティッシュボックス（４）の滑止手段（２ｃ）を備えたので、該取付手段（３）が該枠部材（２）の定めた位置からずれて移動することを抑止するとともに、滑止手段（２ｃ）によってティッシュボックス（４）が該枠部材（２）から滑って脱落することを抑止して、安定してティッシュボックス（４）を装着することを実現した。
【実施例３】
【００２０】
本発明の第３実施例は、該取付手段（３）を伸縮、非伸縮を問わずベルト体として構成したので、ベルト体の端部に面ファスナー（３ａ）やバックルを用いて長さ調整をしつつ被装着部に取り付けることで、種々のサイズ（厚み）のティッシュボックスを装着可能にするとともに装着位置も多様である。
【実施例４】
【００２１】
本発明の第４実施例は、該滑止手段（２ｃ）は尖状突起、あるいは摩擦係数の高い軟質樹脂であるので、ティッシュボックス（４）が該枠部材（２）から滑って脱落することを確実に抑止して、安定してティッシュボックス（４）を装着することを実現した。
【符号の説明】
【００２２】
１          自動車用ティッシュボックス取付具
２          枠部材
２ａ        凸部
２ｂ        凹部
２ｃ        滑止手段
３          取付手段
３ａ        面ファスナー
４          ティッシュボックス
５          ヘッドレストのステー
６          サンバイザー
【図１】
0005500713.tif 000002
【図２】
0005500713.tif 000003
【図３】
0005500713.tif 000004
【図４】
0005500713.tif 000005
【図５】
0005500713.tif 000006